(57)【要約】【課題】入射光量等の調整が可能で、かつ、光の変化を楽しむことのできる透光性を有する面構造体の提供を目的とする。【解決手段】平面視細長矩形状の単位透光体１の複数を弾性を有する接合材２を介して幅方向に接合して構成する。【選択図】  図４
2004211436.tif 000002
【特許請求の範囲】
【請求項１】
平面視細長矩形状の単位透光体の複数を弾性を有する接合材を介して幅方向に接合してなる透光性を有する面構造体。
【請求項２】
前記単位透光体がＶ字状断面を有する請求項１記載の透光性を有する面構造体。
【請求項３】
請求項１または２に記載の面構造体と、
前記面構造体を支承し、該面構造体を建物壁面に片持状に突出保持する支承手段と、
前記面構造体を屈曲変形させる屈曲駆動部とを有する可動庇。
【請求項４】
前記屈曲駆動部が太陽追尾装置に連動して駆動される請求項３記載の可動庇。
【発明の詳細な説明】
【０００１】
【発明の属する技術分野】
本発明は、透光性を有する面構造体に関するものである。
【０００２】
【従来の技術】
一般に太陽光等の光源からの照射光を排除するためには、例えば、特許文献１に記載された庇装置が使用される。この庇装置は、建物駆体側に固定される庇本体と、庇本体内に収容可能で、前方に引き出し可能な可動体とを有しており、面構成部材である可動体により太陽光を完全に遮断して商品の日焼け等を防止する。
【０００３】
しかし、このように、太陽光を完全に遮断してしまうと、商品への照射光量が極端に低くなってしまうという問題がある。また、一般に庇も含めて建築物等の面構成部材は、光線の変化等を楽しむものではなく、太陽光その他の適宜光源からの放射光に対して一律に遮蔽体として機能するだけであるために、面白味に欠けるものであった。
【０００４】
【特許文献１】
特開平１０−３１７６２４号公報
【０００５】
【発明が解決しようとする課題】
本発明は、以上の欠点を解消すべくなされたものであって、入射光量等の調整が可能で、かつ、光の変化を楽しむことのできる透光性を有する面構造体の提供を目的とする。
【０００６】
また、本発明の他の目的は、これを利用した可動庇の提供にある。
【０００７】
【課題を解決するための手段】
本発明によれば上記目的は、
平面視細長矩形状の単位透光体１の複数を弾性を有する接合材２を介して幅方向に接合してなる透光性を有する面構造体３を提供することにより達成される。
【０００８】
単位透光体１は、透明、あるいは半透明のガラス、合成樹脂材のように光透光性を有する材料により形成され、単位透光体１の材質、あるいは断面形状を適宜に決定することにより、各単位透光体１を光学素子として利用することが可能になる。
【０００９】
すなわち、例えば、図３（ｃ）に示すように、単位透光体１の断面を三角形状に形成することにより特定入射角に対して単位透光体１をプリズムとして機能させることができる。また、単位透光体１を特定波長帯域、例えば、紫外線帯域に対して反射率の高い材料で形成したり、あるいはこのようなフィルムを表面に貼り付けることにより紫外線フィルタとして機能させることができる。
【００１０】
これら単位透光体１を接合材２により接合した面構造体３は、各々独立した光学素子を接合した状態となるために、１枚のガラス等により形成される場合に比して、透過光量、透過波長帯域の調整が可能となる。また、単位透光体１を接合する接合材２は、弾性を有しているために、面構造体３は単位透光体１同士の接合部位を屈曲部として変形することができる。この結果、光源からの放射光の入射角を各単位透光体１毎に変化させることができ、透過光量、透過スペクトル等を変化させることができる。
【００１１】
したがって、この発明において、単位透光体１の断面形状、材料等を適宜に決定することにより、透過光の光量調整、帯域フィルタリング等が可能となる上に、これら単位透光体１を相対移動させて入射角を調整することができるために、照明環境の変化に合わせた透過光の動的な調整が可能になる。
【００１２】
以上のように構成される面構造体３は、可動庇に使用することができる。可動庇は、
面構造体３と、
前記面構造体３を支承し、該面構造体３を建物壁面４から片持状に突出保持する支承手段５と、
前記面構造体３を屈曲変形させる屈曲駆動部６とを有して構成することができる。
【００１３】
この可動庇において、面構造体３は支承手段５により建物壁面４からの突出状態が保持され、屈曲駆動部６を駆動することにより、上記単位透光体１同士の接合部が弾性変形し、全体として屈曲変形する。面構造体３が屈曲変形すると、各単位透光体１への太陽光の入射角が調整され、これに伴って透過光量等も影響を受けるために、単位透光体１の断面形状等を適切に設定しておけば、商品の紫外線による日焼け等を効果的に減少させることができる。
【００１４】
屈曲駆動部６を太陽追尾装置７に連動させると、太陽位置の変化に追随させて、例えば、紫外線透過量が最小となるように面構造体３を屈曲変形させることができる。
【００１５】
【発明の実施の形態】
図１〜５に可動庇として構成された本発明の実施の形態を示す。図において１は断面Ｖ字形状のプロフィリットガラス（溝型ガラス）により形成される単位透光体であり、平面視において適宜長さを有する細長矩形状をなす。
【００１６】
なお、単位透光体１は、図３（ａ）に示す断面形状以外に、図３（ｂ）に示すように、平板ガラス８を後述する接合材２により接合して断面形状をＶ字状にしたもの、あるいは図３（ｃ）に示すように、中実三角形断面のプリズム形状のものを使用することができる。
【００１７】
これら単位透光体１は、側縁（長辺）同士を隣接させて複数枚並べられた後、側縁同士を接合材２により接合され、全体として板状の面構造体３が形成される。接合材２には、特殊シリコン変性ポリマーをベースとする弾性接着剤が使用される。単位透光体１同士の接合部からの水漏れ、あるいは光透過がないように、接合材２は、単位透光体１の側縁全長に渡って配置され、かつ、後述するように、単位透光体１間の相対変位を保証するために、接合材２は適宜の厚さ（ｔ）に形成される。
【００１８】
上記面構造体３は、支承手段５により建物壁面４から突設されて保持される。図１、２に示すように、面構造体３は、単位透光体１の接合方向が建物壁面４からの突出方向に一致する方向に配置され、その基端部が後述する支承アーム部５ａに固定される。
【００１９】
上記支承手段５は、建物壁面４への固定部５ｂと、固定部５ｂから前方に突出する支承アーム部５ａとを有する。面構造体３の透光性を損なうことのないように、面構造体３を下方から支える支承アーム部５ａは、図１（ａ）に示すように、面構造体３の両側に沿って２本配置される。これら支承アーム部５ａは、基端側（建物壁面４側）に行くに従って漸次断面積を大きくすることにより、必要な曲げ強度が付与される。
【００２０】
上記面構造体３を変形させるための屈曲駆動部６は、上記支承アーム部５ａ上に載置される支持プレート６ａを有する。支持プレート６ａは、２ｍｍ程度の板厚のステンレス板材であり、上記面構造体３は、両側縁裏面がこれら支持プレート６ａに支承されて載置される。単位透光体１と支持プレート６ａの直接接触による異音発生防止のために、単位透光体１と支持プレート６ａとの間には、クッションスポンジ９が介装される。また、支持プレート６ａは、自由端部の上方への移動自由度を確保するために、建物壁面４側端部のみが支承アーム部５ａに固定される。支持プレート６ａを支承アーム部５ａに止着するためのねじを図２、４において符号１０で示す。
【００２１】
また、屈曲駆動部６は、図４に示すように、モータからなるアクチュエータ６ｂと、制御部６ｃと、太陽追尾装置７とを有する。図５に示すように、モータ６ｂの駆動軸にはプーリ６ｄを介して駆動ワイヤ６ｅが連結されており、モータ６ｂを駆動することにより駆動ワイヤ６ｅを巻き取ることができる。駆動ワイヤ６ｅは、図２に示すように、支持プレート６ａの自由端に固定されたＵボルト１１に連結されており、モータ６ｂをワイヤ巻き上げ方向に駆動すると、支持プレート６ａ及びこれに支承された面構造体３は、図４に示すように、曲率半径が小さくなる方向に屈曲する。これに対し、モータ６ｂを逆回転させると、面構造体３は支持プレート６ａの弾性復元力と面構造体３の自重により原姿勢に復帰する。
【００２２】
制御部６ｃは、紫外線透過光量が最低となる太陽光の各単位透光体１への入射角をもとに割り出した面構造体３の屈曲曲率と、太陽位置（高度）との関係をテーブルとして保持しており、太陽追尾装置７により追尾された太陽位置が入力されると、テーブルを参照して求めた屈曲曲率からモータ６ｂの回転数を演算する。
【００２３】
したがってこの実施の形態において、太陽位置が変化すると、透過紫外線量が最小となるように、モータ６ｂが駆動されて面構造体３の屈曲曲率も変化するために、商品への紫外線照射量を常に最小にすることが可能になるために、紫外線による日焼けを防止することができる。
【００２４】
【発明の効果】
以上の説明から明らかなように、本発明によれば、入射光量等の調整が可能で、かつ、光の変化を楽しむことのできる透光性を有する面構造体を得ることができる。
【００２５】
また、これを利用して可動庇を構成すると、用途に応じて、例えば、紫外線による商品の日焼け等の防止、あるいはプリズム効果により太陽光等を分光し、商品に装飾的効果を与えることができる。
【図面の簡単な説明】
【図１】本発明を示す図で、（ａ）は可動庇の平面図、（ｂ）は（ａ）の１Ｂ方向矢視図である。
【図２】可動庇の側面図である。
【図３】単位透光体の断面図である。
【図４】可動庇の駆動状態を示す説明図である。
【図５】屈曲駆動部を示す斜視図である。
【符号の説明】
１        単位透光体
２        接合材
３        面構造体
４        建物壁面
５        支承手段
６        屈曲駆動部
７        太陽追尾装置
【図１】
2004211436.tif 000003
【図２】
2004211436.tif 000004
【図３】
2004211436.tif 000005
【図４】
2004211436.tif 000006
【図５】
2004211436.tif 000007